(57)【要約】【課題】夏場では供給される上水温度もトイレ室内の温度も高いため、トイレ不使用中は温水温度も暖房便座温度も通常状態よりも低く設定しても差し支えない。本発明は、集合住宅のように窓のないトイレでは、トイレ使用時にはトイレ照明灯６０が点灯されるため、消灯状態ではトイレ不使用状態と判断し、トイレ室内の雰囲気温度が夏場のように高いときは、温水ヒータと便座ヒータを、通常通電モードよりも通電率が低下する節電モードとすることにより、集合住宅として好適な節電効果を奏する便座装置を提供する。【解決手段】便座装置が設置されたトイレ室内のトイレ照明の点灯状態では、便座ヒータと温水ヒータは通常通電制御モードであり、トイレ照明灯の消灯状態では、トイレ室内の雰囲気温度検知センサが所定温度以上を検知しているときは、便座ヒータと温水ヒータによる加温温度を低下する節電制御モードとする。【選択図】図４
2010084486.tif 000002
【特許請求の範囲】
【請求項１】
便座ヒータで加温する暖房便座を開閉自在に支持した便座本体部が洋式便器上に設置さ
れ、供給された上水を温水ヒータで温める加温部及びこの加温部で温められた温水を人体
の局部に向けて噴射する洗浄ノズルを前記便座本体部に備え、スイッチの操作によって前
記洗浄ノズルによる洗浄を行なう便座装置において、前記便座装置の設置されたトイレ室
内が所定の明るさ以上であることを明るさ検知センサが検知したとき、前記便座ヒータと
前記温水ヒータは通常通電制御モードであり、前記明るさ検知センサが所定の明るさを検
知していない状態において、前記トイレ室内の雰囲気温度検知センサが冬場温度と定めた
第１所定温度以下を検知しているとき、前記便座ヒータと前記温水ヒータを前記通常通電
制御モードよりも節電となる第１節電制御モードとし、また、前記雰囲気温度検知センサ
が前記第１所定温度より高く春秋温度と定めた第２所定温度以上を検知しているとき、前
記便座ヒータと前記温水ヒータを第１節電制御よりも大きい節電となる第２節電制御モー
ドとし、更に前記雰囲気温度検知センサが前記第２所定温度より高く夏場温度と定めた第
３所定温度以上を検知しているとき、前記便座ヒータと前記温水ヒータを第２節電制御よ
りも大きい節電となる第３節電制御モードとすることを特徴とする便座装置。
【発明の詳細な説明】
【技術分野】
【０００１】
本発明は、暖房便座を開閉自在に支持した便座本体部が洋式便器上に設置され、洗浄ノ
ズルから温水を噴出して人体の局部を洗浄する便座装置に関する。
【背景技術】
【０００２】
トイレ内の雰囲気温度検出装置が３１℃以上を検出したとき夏場とし、この夏場におい
て便座表面温度を体温程度の３６℃付近に保温しておき、着座後に暖房便座の熱源への電
力供給を停止する第１技術と、トイレ使用前は暖房便座の熱源への電力供給を停止してお
り、トイレ内に使用者が進入すると人体センサの検出にて暖房便座の熱源へ電力供給を開
始して、便座表面温度を３１℃になるように制御する第２技術が開示されたものがある。
（特許文献１参照）。
【特許文献１】特開２０００−２２５０７７号公報
【発明の開示】
【発明が解決しようとする課題】
【０００３】
特許文献１のものは、夏場に便座に着座したときに感じるべたつき感をなくするために
、人体からの蒸泄物が便座により冷やされて結露することを防ぐための技術であり、便座
表面温度を体温程度の３６℃付近に保つことにより、その目的を達成するようにしている
。
【０００４】
本発明は、１ＤＫ、１ＬＤＫのように１戸の床面積が比較的小さく、独身者向けに建て
られたアパートのような集合住宅に設置される便座装置に関する。最近、このような集合
住宅のトイレも、温水洗浄式で且つ暖房便座である形態の便座装置を設置するようになり
、この便座装置では、加温部へ供給された上水を温水ヒータで温めた温水を人体の局部に
向けて噴射する洗浄ノズルを備え、暖房便座が便座ヒータで加温されている。
【０００５】
一般的に、このような集合住宅の所有者は、光熱費込みの賃貸料でもって入居者に賃貸
する形態である。温水洗浄式で且つ暖房便座は、通常、前記温水ヒータと便座ヒータは、
通電状態のままであり、モデル的部屋ではこれらの電気代は一ヶ月略５００円前後である
。集合住宅の所有者としては、これらの電気代が少なくて済むことは直接利益に繋がるた
め、そのための設備投資に余念がない。
【０００６】
このような集合住宅は、間取りの関係から、トイレは窓のない箇所に作られる。このた
め、トイレ使用時にはトイレ照明を点けることが必要である。また、夏場では、供給され
る上水温度もトイレ室内の温度も高いため、トイレ不使用中は温水温度も暖房便座温度も
通常状態よりも低く設定しても差し支えない。
【０００７】
本発明は、このような点に鑑み、集合住宅として好適な節電効果を奏する便座装置を提
供するものである。その手段として、通常、トイレ使用時にはトイレ照明が点灯されるた
め、点灯状態ではトイレ使用状態と判断して、前記温水ヒータと便座ヒータは通常通電モ
ードとする。そして、トイレ照明消灯状態ではトイレ不使用状態と判断し、そのときトイ
レ室内の雰囲気温度が夏場のように高いときは、温水ヒータと便座ヒータを、通常通電モ
ードよりも通電率が低下する節電モードとするように制御することにより、待機状態にお
ける便座装置での消費電力を少なくする技術を提供するものである。
【課題を解決するための手段】
【０００８】
本発明は、便座ヒータで加温する暖房便座を開閉自在に支持した便座本体部が洋式便器
上に設置され、供給された上水を温水ヒータで温める加温部及びこの加温部で温められた
温水を人体の局部に向けて噴射する洗浄ノズルを前記便座本体部に備え、スイッチの操作
によって前記洗浄ノズルによる洗浄を行なう便座装置において、前記便座装置の設置され
たトイレ室内が所定の明るさ以上であることを明るさ検知センサが検知したとき、前記便
座ヒータと前記温水ヒータは通常通電制御モード（使用者が設定した温度または機器に設
定した温度での制御）であり、前記明るさ検知センサが所定の明るさを検知していない状
態において、前記トイレ室内の雰囲気温度検知センサが冬場温度と定めた第１所定温度以
下を検知しているとき、前記便座ヒータと前記温水ヒータを前記通常通電制御モードより
も節電となる第１節電制御モードとし、また、前記雰囲気温度検知センサが前記第１所定
温度より高く春秋温度と定めた第２所定温度以上を検知しているとき、前記便座ヒータと
前記温水ヒータを第１節電制御よりも大きい節電となる第２節電制御モードとし、更に前
記雰囲気温度検知センサが前記第２所定温度より高く夏場温度と定めた第３所定温度以上
を検知しているとき、前記便座ヒータと前記温水ヒータを第２節電制御よりも大きい節電
となる第３節電制御モードとすることを特徴とする。
【発明の効果】
【０００９】
本発明では、トイレ照明灯が点灯した状態を明るさ検知センサが検知するため、窓のな
いトイレでトイレ照明灯の点灯によって、トイレ使用中であることがキャッチされ、通常
通電制御モードにて便座ヒータと温水ヒータの通電制御を行い、便座と温水の温度を設定
した所定の温度に加温する。また、トイレ室内の雰囲気温度が夏場のように高い温度状態
では、便座と温水の加温温度を低下しても冷たく感じることは殆んどないため、本発明で
は、トイレ不使用中はトイレ照明の消灯状態であり、この状態で便座と温水の温度を低下
した節電制御モードとする。これによって、トイレ照明灯が点灯されてトイレ使用が開始
され、節電制御モードから通常通電制御モードに切り替わった時点で、タイムラグによっ
て便座と温水の温度が直ちに通常加温温度に上昇しなくても、便座に着座した人が冷たく
感じることは殆んどなく、トイレ使用に際する問題はなく、むしろトイレ不使用中の節電
効果が大きいものである。
【００１０】
そして、冬、春秋、夏の３シーズンの温度状態に応じて節電制御モードの制御状態を変
えるため、一律の節電制御モードを行う場合に比して、節電効果を発揮しつつ、トイレ不
使用中の温水と便座の加温温度をトイレ室内の温度に応じた状態に設定できるため、トイ
レ不使用状態からトイレ使用状態になったときの温水と便座の加温状態を適正に維持でき
るものとなる。
【発明を実施するための最良の形態】
【００１１】
便座ヒータで加温する暖房便座を開閉自在に支持した便座本体部が洋式便器上に設置さ
れ、供給された上水を温水ヒータで温める加温部及びこの加温部で温められた温水を人体
の局部に向けて噴射する洗浄ノズルを前記便座本体部に備え、スイッチの操作によって前
記洗浄ノズルによる洗浄を行なう便座装置において、前記便座装置が設置されたトイレ室
内のトイレ照明の点灯状態では、前記便座ヒータと前記温水ヒータは通常通電制御モード
であり、トイレ照明灯の消灯状態では、前記トイレ室内の雰囲気温度検知センサが所定温
度以上を検知しているときは、前記便座ヒータと前記温水ヒータによる加温温度を低下す
る節電制御モードとするものである。以下、本発明の実施形態を図に基づき記載する。
【実施例１】
【００１２】
図１は本発明に係る便座装置の斜視図、図２は図１の便座装置の本体ケース及び操作部
の内部構成を一部破断により示す平面図、図３は本発明に係る便座装置の制御回路図、図
４は本発明に係る便座装置の省エネ制御機能図である。
【００１３】
本発明の実施例を先ず図１に基づき説明すると、１は洋式便器２の上に着脱可能に設置
された温水洗浄・暖房便座式の便座装置で、本体ケース３に便座４とこの便座４の上面を
覆う便蓋５を上下方向に開閉自在に枢支している。本体ケース３の一方の側面には給水管
６を突設し、この給水管６にフレキシブルな配管ホース７を接続していると共に、この配
管ホース７は、分岐水栓８を介して上水を供給する市水等の水道管９に接続している。
【００１４】
本体ケース３は、その一方の側面に、前方が上記便座４の側面に沿って延設された操作
部１０を一体的に突設しており、操作部１０は本体ケース３の一部分を構成する。操作部
１０は、この操作部１０の上面から操作される後述の複数のスイッチやこのスイッチによ
る動作状態を表示する表示部となるＬＥＤを収納している。
【００１５】
本発明の制御部３２を構成する電気部品を取り付ける制御用基板は、単一の構成でもよ
いが、図示の実施例では、操作部１０が便座４の側部に配置された構成であるため、制御
回路基板がメイン基板１７と操作基板１８とで構成されている。なお、制御回路基板が操
作基板１８によって全て構成される場合は操作基板１８のみである。実施例では前者の方
式である。操作をリモートコントロール方式とする場合は、操作部１０の操作基板１８の
部分が、本体ケース３から離れてトイレの壁等に取り付けられるリモートコントローラと
なり、この場合の本発明の本体ケース３内の制御用基板は、メイン基板１７となる。
【００１６】
図示の構成において、本体ケース３内には、図２に示す様に、主とした機能部品として
、内部に配置した温水ヒータ４２で所定温度に加熱する加温部となる温水タンク１３と、
この温水タンクと上記給水管６とを接続する給水配管１４と、給水配管１４に接続した電
磁弁１１と減圧弁１２、洗浄ノズルセット１５と、脱臭機構１６と、メイン基板１７とを
収納配置している。
【００１７】
洗浄ノズルセット１５は、ノズルベース１９に一対のおしり用洗浄ノズル２０とビデ用
洗浄ノズル２１を前後方向に進出及び後退自在に収納し、温水タンク１３より洗浄用の温
水は、給湯配管２２を通り、かつ、図示しない切り替え弁によって、おしり用洗浄ノズル
２０とビデ用洗浄ノズル２１のいずれか一方へ供給される。
【００１８】
脱臭機構１６は、脱臭用触媒２４と、脱臭ファン２５と、ファンケース２６にて主に構
成し、このファンケース２６は、上記洋式便器２のボウルに対向して開口した第１吸気孔
２７と、本体ケース３内に開口した第２吸気孔２８と、これらの吸気孔から吸引した空気
が上記脱臭用触媒２４を通過した後、本体ケース３の外に排出する排気孔２９とを設けて
いる。
【００１９】
便座４は、図１に一部断面で示すように、便座４の裏側にアルミニウム箔４Ａを介して
絶縁被覆された便座ヒータ４１が取り付けられており、便座ヒータ４１の発熱によって便
座４が加温される。
【００２０】
操作部１０は、図１に一部拡大で示すように、上面開口のボックス状をなし、その中に
絶縁性の操作基板１８を水平状態に収納し、操作基板１８には、各種の操作スイッチと、
ＬＥＤ表示部が取り付けられている。この操作スイッチとして、おしり（肛門）洗浄開始
スイッチ４５、ビデ洗浄開始スイッチ４６、洗浄停止スイッチ４４、洗浄水の水勢増減ス
イッチ４７Ｐと４７Ｑ、温水タンク１３の温水温度調節スイッチ４８、便座ヒータ４１に
よる便座２の温度を可変する便座温度調節スイッチ４９が設けられ、また、ＬＥＤ表示部
として、水勢増減スイッチ４７Ｐと４７Ｑに対応して水勢の強中弱の状態を３段階で表示
するＬＥＤ４７Ｌ、温水温度調節スイッチ４８に対応して温水温度を低中高の３段階で表
示するＬＥＤ４８Ｌ、便座温度調節スイッチ４９に対応して便座温度を低中高の３段階で
表示するＬＥＤ４９Ｌが設けられている。
【００２１】
操作部１０の上面開口は、前記の各スイッチ及びＬＥＤの対応部分に貫通孔を形成した
カバー板で覆われており、このカバー板の上面は、前記貫通孔を塞ぐようにこれらスイッ
チに対応する部分が可撓性を有し、且つ前記ＬＥＤに対応する部分が透光性を有するフィ
ルム１０Ｆで覆われている。このため、これらスイッチ４４、４５、４６、４７Ｐと４７
Ｑ、４８、４９に対応するフィルム１０Ｆの押圧部分４４Ａ、４５Ａ、４６Ａ、４７Ａと
４７Ｂ、４８Ａ、４９Ａを押すことによって、対応するスイッチが作動する。なお、便座
４と便蓋５を上下方向に電動機にて開閉する場合には、その開閉スイッチとその押圧部分
を前記スイッチ同様に操作部１０に設ければよい。
【００２２】
図３は、制御手段となる制御回路３０の構成を示すもので、商用電源３１にマイクロコ
ンピュータを中心に構成した制御部３２を接続し、かつこの制御部の入出力回路には上記
操作基板１８を接続し、入力回路には上記便座４への着座を検出する着座スイッチ３３と
、便座４の温度を検出する便座用温度センサ３５と、トイレ室内の温度を検出する雰囲気
温度検知センサ５０と、トイレ室内の明るさを検知する明るさ検知センサ５３を接続して
いる。雰囲気温度検知センサ５０（室温センサ５０ともいう）は、トイレ室内の空気温度
を検出するように、本体ケース３またはその一部である操作部１０に形成した窓５１内に
トイレ室へ臨むように取り付けられる。また、明るさ検知センサ５３（照度センサ５３と
もいう）は、本体ケース３またはその一部である操作部１０に形成した窓５２内にトイレ
室へ臨むように取り付けられる。
【００２３】
商用電源３１には、上記制御部３２の出力にて各々制御するスイッチング素子３６、３
７、３８、３９、４０を介して、便座ヒータ４１、温水タンク１３内の水を加熱する温水
ヒータ４２、上記切り替え弁を駆動する洗浄モータ４３、脱臭ファン２５、電磁弁１１を
接続している。
【００２４】
制御部３２は着座スイッチ３３により便座４への人体の着座を検出すると、スイッチン
グ素子３９を通電して脱臭ファン２５を回転し、おしり（肛門）洗浄開始スイッチ４５ま
たはビデ洗浄開始スイッチ４６が押されると、制御部３２はそれに対応したスイッチング
素子３８、４０を適宜作動して洗浄モータ４３の作動にて上記切り替え弁を駆動すると共
に電磁弁１１が開き、上記切り替え弁にて切り替えられた方の洗浄ノズル２０または２１
が進出すると共に、電磁弁１１を通して温水タンク１３内へ掛かる上水の水圧によって、
温水の洗浄水が選択された方の洗浄ノズル２０または２１から噴出する。そして、洗浄停
止スイッチ４４が押されると、制御部３２はスイッチング素子３８、４０を適宜作動して
洗浄モータ４３を作動して、上記切り替え弁を初期位置へ戻すと共に、電磁弁１１を閉じ
ることによって水圧を掛からなくして、洗浄水の噴出を停止すると共に進出していた洗浄
ノズル２０または２１がバネ力にて後退する復帰する。
【００２５】
本発明では、トイレ使用時では、便座ヒータ４１と温水ヒータ４２は、制御部３２の動
作によって、通常通電制御モード（通常通電制御状態）である。この通常通電制御モード
は、温水タンク１３の温水の温度は、温度調節スイッチ４８のＯＮ操作によって使用者が
任意に設定した温度であり、図示のものは、温度調節スイッチ４８のＯＮ操作ごとに、強
（４０℃）中（３８℃）弱（３５℃）の３段階を選択して設定でき、それに対応して点灯
するＬＥＤ４８Ｌを備えている。この場合の温水の温度は、温水検知センサ５４の検知に
基づく制御部３２の動作によって、スイッチング素子３７が温水ヒータ４２の通電をＯＮ
―ＯＦＦ制御することによって、この設定した温度に制御される。このため、通常通電制
御モードは、設定温度での通電制御モードと称することもできる。
【００２６】
また、この通常通電制御モードは、便座４の加温温度は、便座温度調節スイッチ４９の
ＯＮ操作によって使用者が任意に設定した温度であり、図示のものは、便座温度調節スイ
ッチ４９のＯＮ操作ごとに、強（３９℃）中（３７℃）弱（３５℃）の３段階を選択して
設定でき、それに対応して点灯するＬＥＤ４９Ｌを備えている。この場合の便座４の温度
は、便座用温度センサ３５の検知に基づく制御部３２の動作によって、スイッチング素子
３６が便座ヒータ４１の通電をＯＮ―ＯＦＦ制御することによって、この設定した温度に
制御される。
【００２７】
なお、温度調節スイッチ４８及びまたは便座温度調節スイッチ４９を設けないものでは
、温水の設定温度及びまたは便座４の設定温度は、制御部３２に設定した温度であり、通
常通電制御モードにおける制御は、この制御部３２に設定した温度での制御となる。
【００２８】
そして、本発明では、トイレ室内の雰囲気温度（空気温度）が夏場のように高い温度状
態では、トイレ不使用時において節電するように、制御部３２の動作によって、便座ヒー
タ４１と温水ヒータ４２による加温温度を低下した制御状態となるように節電制御モード
（節電制御状態）とする。トイレ不使用時で、且つ、雰囲気温度検知センサ５０が所定温
度以上（例えば２５℃以上）を検知しているときは、温水ヒータ４２の通電率を、通常通
電制御モードのときの三分の一乃至三分の二にした節電制御モードとし、また、便座ヒー
タ４１の通電率を、通常通電制御モードのときの三分の一乃至三分の二にした節電制御状
態とする。このような節電制御モードによって、夏場のように高い温度状態でのトイレ不
使用時には、便座ヒータ４１と温水ヒータ４２による加温温度を低下する節電制御モード
となるため、省エネ効果が得られる。そして、トイレ使用状態になると通常通電制御モー
ドとすることにより、温水と便座４を適温状態に維持することができる。
【００２９】
この場合、トイレの使用・不使用の状態検知の一つの方法として、トイレの使用時はト
イレ照明灯が点灯され、トイレ不使用時はトイレ照明灯が消灯されることに着目して、ト
イレの使用・不使用の検知を明るさ検知センサ５３で検知することができる。このため、
この節電制御モードにおいて、トイレ使用が開始されたときはトイレ照明灯が点灯される
ため、その明るさを明るさ検知センサ５３が検知し、制御部３２の動作によって、節電制
御モードから通常通電制御モードに切り替わり、温水ヒータ４２の通電状態は、温度調節
スイッチ４８のＯＮ操作によって使用者が任意に設定した温度設定となる制御状態に復帰
し、また、便座ヒータ４１の通電状態は、便座温度調節スイッチ４９のＯＮ操作によって
使用者が任意に設定した温度設定となる制御状態に復帰する。節電制御モードから通常通
電制御モードへの切り替わりによって、温水温度は通常通電制御温度に復帰し、また便座
４の温度は通常通電制御温度に復帰する。この復帰に要する時間は、略１分程度であるた
め、トイレに入って便座４に着座するまでに要する時間を勘案すれば、着座したときに冷
たく感じる不快感はないものである。
【００３０】
このように、節電制御モードによって、夏場のように高い温度状態でのトイレ不使用時
には、便座ヒータ４１と温水ヒータ４２による加温温度を低下する節電制御モードとなる
ため、省エネ効果が得られると共に、節電制御モードにおいて、トイレ使用が開始された
ときは、通常通電制御モードに切り替わり、温水の温度と便座４の温度は速やかに上昇す
るため、便座使用者が不快を感じることもない。
【００３１】
なお、トイレの使用・不使用の検知は、上記の他に、トイレ照明灯のＯＮ−ＯＦＦスイ
ッチの状態を検知する方式、トイレ室内へ人が進入したことを人感センサで検知する方式
、便座４に人が着座したとき作動する着座検出スイッチ３３で検知する方式のいずれでも
よい。
【００３２】
トイレ室内の温度は、外気温の変化に応じて変化するため、本発明では、季節に応じた
節電効果を得る技術を提供する。これを図４に基づき説明する。図４において、トイレ照
明灯６０の点灯・消灯状態は、明るさ検知センサ５３で検知（Ｓ１）する。トイレ照明灯
６０の点灯を検知（Ｓ２）したとき、制御部３２の動作によって、便座ヒータ４１と温水
ヒータ４２は通常通電制御モード（Ｓ３）である。一方、トイレ照明灯６０が消灯であれ
ば、明るさ検知センサ５３が所定の明るさを検知していない状態（Ｓ４）であるため、こ
の状態で、トイレ室内の雰囲気温度検知センサ５０が、冬、春秋、夏の３シーズンの温度
状態に応じた検知をするように、３段階の検知レベルを設定して、制御部３２の動作によ
って冬、春秋、夏の３シーズンに適応した節電制御モードとなるように構成している。
【００３３】
即ち、図４において、トイレ照明灯６０が消灯している状態（Ｓ４）において、雰囲気
温度検知センサ５０による検知（Ｓ５）が、冬場温度と定めた第１所定温度（例えば５℃
）以下を検知しているとき（Ｓ６）、制御部３２の動作によって、便座ヒータ４１と温水
ヒータ４２を前記通常通電制御モードよりも節電となる第１節電制御モードとする。この
第１節電制御モードでは、通常通電制御モードにおける便座ヒータ４１及び温水ヒータ４
２の通電に対して、便座ヒータ４１及び温水ヒータ４２の通電率を三分の二にした節電制
御状態とする。
【００３４】
また、トイレ照明灯６０が消灯している状態（Ｓ４）において、雰囲気温度検知センサ
５０による検知（Ｓ５）が、春秋温度と定めた第２所定温度（例えば１５℃）以上で夏場
温度と定めた第３所定温度（例えば２０℃または２５℃）未満を検知しているとき（Ｓ７
）、制御部３２の動作によって、便座ヒータ４１と温水ヒータ４２を第１節電制御よりも
大きい節電となる第２節電制御モードとする。この第２節電制御モードでは、通常通電制
御モードにおける便座ヒータ４１及び温水ヒータ４２の通電に対して、便座ヒータ４１及
び温水ヒータ４２の通電率を二分の一にした節電制御状態とする。
【００３５】
また、トイレ照明灯６０が消灯している状態（Ｓ４）において、雰囲気温度検知センサ
５０による検知（Ｓ５）が、前記夏場温度と定めた第３所定温度（例えば２０℃または２
５℃）以上を検知しているとき（Ｓ８）、制御部３２の動作によって、便座ヒータ４１と
温水ヒータ４２を第２節電制御よりも大きい節電となる第３節電制御モードとする。この
第３節電制御モードでは、通常通電制御モードにおける便座ヒータ４１及び温水ヒータ４
２の通電に対して、便座ヒータ４１及び温水ヒータ４２の通電率を三分の一にした節電制
御状態とする。
【００３６】
このように、制御部３２の動作によって、冬、春秋、夏の３シーズンの温度状態に応じ
て節電制御モードの制御状態を切り替えることにより、一律の節電制御モードを行う場合
に比して、節電効果を発揮しつつ、トイレ不使用中の温水と便座の加温温度をトイレ室内
の温度に応じた状態に設定できるため、トイレ不使用状態からトイレ使用状態になったと
きの温水と便座の加温状態を適正に維持できるものとなる。なお、トイレ照明灯６０が消
灯している状態（Ｓ４）において、雰囲気温度検知センサ５０による検知（Ｓ５）が、Ｓ
６〜Ｓ８の検知状態でない（Ｓ９）とき（例えば、雰囲気温度が６℃〜１４℃の範囲）は
、通常通電制御モード（Ｓ３）となる。
【００３７】
上記のように、トイレの使用時と不使用時を、トイレ照明灯が点灯しているか否かを明
るさ検知センサ５３の検知によって行なう方式では、消灯せずにトイレから出てトイレ照
明灯６０が点灯したままであれば、Ｓ６〜Ｓ８のように雰囲気温度検知センサ５０が節電
モードに入るべき所定温度以上または以下を検知していても、節電制御モードに切り替わ
らない。これを防止するために、第１の方式として、着座した便座４から離れたとき、着
座スイッチ３３が作動（検出）するため、これによって制御部３２に含まれたタイマがス
タートし、所定時間（例えば１０分〜３０分の間のいずれかの設定時間）内に再びトイレ
使用状態にならないときは、この所定時間経過後に、制御部３２によって自動的に節電制
御モードに切り替わる。そして、再びトイレ使用によって着座したことを検出するよう着
座スイッチ３３が作動（検出）したとき、上記同様に、通常通電制御モードに切り替わる
ように動作する構成とする。
【００３８】
また、第２の方式として、トイレ室内に対する人の進入・退出を赤外線で検知する人感
センサ５５を制御部３２に接続し、この人感センサ５５の検知に基づき、通常通電制御モ
ードから節電制御モードへの切り替え、および節電制御モードから通常通電制御モードへ
の切り替えを行うと共に、トイレ照明灯６０の点灯・消灯を行なう。このようにすれば、
トイレ照明灯６０を点灯・消灯する手動スイッチも不要であると共に、人感センサ５５の
検知に基づき、トイレ室内からの人の退出に基づき、制御部３２の動作によって、強制的
に節電制御モードに切り替わるようになる。そして、再びトイレ使用によって人感センサ
５５が人の進入を検知したとき、上記同様に、通常通電制御モードに切り替わるように動
作する。
【００３９】
上記におけるＳ１乃至Ｓ９における全ての動作は、定期的に行なわれるように、制御部
３２は、所定のプログラムに従って動作するマイクロコンピュータ制御方式である。
【００４０】
上記のような制御動作が行なわれる状態において、酔っ払った状態で便座４に着座した
場合等では、ややもすると便座に座っている時間が長くなる虞があり、その場合、通常通
電制御モードが長くなり、着座した人が低温やけどになるお虞がある。これを防止するた
めに、通常通電制御モードが所定時間以上（例えば、３０分〜６０分の間のいずれかの時
間以上）になれば、制御部３２のタイマによって、便座ヒータ４１の発熱を低下させるか
通電を切る。その方法は、着座スイッチ３３が着座を検出したときから前記タイマが作動
し、前記所定時間（３０分〜６０分）経ったら便座ヒータ４１の発熱を低下させるか通電
ＯＦＦとするよう、自動的に節電制御モードに切り替わる。これによって、着座時間が長
い場合の低温やけどを防止できる効果がある。そして、トイレ不使用時になれば、着座し
た便座４から離れたとき、着座スイッチ３３が作動（検出）するため、制御部３２によっ
て、便座ヒータ４１と温水ヒータ４２は節電制御モードとなる。
【産業上の利用可能性】
【００４１】
本発明は、上記実施例に示した構成に限定されず、種々の形態の便座装置に適用できる
ものであり、本発明の技術範囲において種々の形態を包含するものである。
【図面の簡単な説明】
【００４２】
【図１】本発明に係る便座装置の斜視図である。
【図２】図１の便座装置の本体ケース及び操作部の内部構成を一部破断により示す平面図である。
【図３】本発明に係る便座装置の制御回路図である。
【図４】本発明に係る便座装置の省エネ制御機能図である。
【符号の説明】
【００４３】
１・・・・便座装置
２・・・・洋式便器
３・・・・本体ケース
４・・・・便座
５・・・・便蓋
１０・・・操作部
１３・・・温水タンク（加温部）
１７・・・メイン基板
１８・・・操作基板
２０・・・おしり用洗浄ノズル
２１・・・ビデ用洗浄ノズル
３０・・・制御回路
３２・・・制御部
３５・・・便座用温度センサ
４１・・・便座ヒータ
４２・・・温水ヒータ
５０・・・雰囲気温度検知センサ
５３・・・明るさ検知センサ
５４・・・温水検知センサ
５５・・・人感センサ
６０・・・トイレ照明灯
【図１】
2010084486.tif 000003
【図２】
2010084486.tif 000004
【図３】
2010084486.tif 000005
【図４】
2010084486.tif 000006